(57)【特許請求の範囲】
【請求項１】
底壁と縦壁との入隅部における前記縦壁に排水用取付孔を開設し、該排水用取付孔に横引きドレンを取付けるために前記底壁に段付け加工を行う横引きドレン用段付け治具であって、
前記底壁及び縦壁の外面に添接され、前記底壁に凹部を形成した略Ｌ形の治具本体と、
前記治具本体の凹部に嵌合する凸部を形成した押え治具とより構成してなり、
前記治具本体を前記入隅部の外面に添接すると共に、前記押え治具の凸部を前記底壁を介して前記凹部に位置付けたうえで、前記押え治具を上方から打設又は押圧することによって、前記入隅部の底壁に、前記凹部と略同形の前記横引きドレンの取付凹所を形成するようにしてなる横引きドレン用段付け治具。
【請求項２】
請求項１において、
治具本体には、該治具本体の凹部を、入隅部の底壁の所定位置に位置決めすると共に、前記治具本体を入隅部に固定する押さえガイドを設けてなる横引きドレン用段付け治具。
【請求項３】
請求項１又は２の何れかにおいて、
治具本体及び押え治具には、排水用取付孔を通じて両者を連結すると共に、前記治具本体の凹部に、前記押え治具の凸部を誘導可能な挿入ガイドを設けてなる横引きドレン用段付け治具。
【発明の詳細な説明】
【技術分野】
【０００１】
本発明は、底壁と縦壁との入隅部における前記縦壁に排水用取付孔を開設し、該排水用取付孔に横引きドレンを取付けるために前記底壁に段付け加工を行う横引きドレン用段付け治具に関する。
【背景技術】
【０００２】
マンションの共通廊下やベランダ等（以下、「ベランダ等」と略する。）に発生する水は、一般に底壁の隅部に開設された排水口を通じて排水されるが、最近では、上方が開放された箱状樋を前記ベランダ等に設置し、前記箱状樋の底壁と縦壁との入隅部における前記縦壁に排水用取付孔を開設し、該排水用取付孔に取付けて前記箱状樋に溜まった雨水等を排水するための横引き排水ドレン装置が知られている（例えば、特許文献１参照。）。
【０００３】
図５は、このような従来の横引き排水ドレン装置２００を示す分解斜視図であり、図６（ａ）、（ｂ）及び図７（ｃ）、（ｄ）は、図５で示した横引き排水ドレン装置及びこれを用いてなる横引き排水ドレン構造を示す縦断面図である。
【０００４】
すなわち、前記ベランダ等に、上方が開放された箱状に形成した箱状樋１００を設置して、この箱状樋１００の底壁１０１と縦壁１０２との入隅部１１０における縦壁１０２側に排水用取付孔１０３を開設し、この開設された排水用取付孔１０３に横引き排水ドレン装置２００を取付けて、前記ベランダ等に生じた水を排水するのである。
【０００５】
具体的には、横引き排水ドレン装置２００は、箱状樋１００の縦壁１０２内側に設置されるドレン本体部２０１と、箱状樋１００の縦壁１０２を介して該縦壁１０２の外側に設置される支持板２０２と、ドレン本体部２０１及び支持板２０２を挟着する固定ネジ２０３とで構成している。
【０００６】
そして、支持板２０２に開設した取付孔２１２を、排水用取付孔１０３の外側に重合すると共に、支持板２０２を底壁１０１及び縦壁１０２の外面に添接し、この重合した排水用取付孔１０３及び取付孔２１２に向けて、ドレン本体部２０１の外方に向けて突設した排水管差込筒部２１１を、縦壁１０２の内側から貫通する〔図６（ａ）参照。〕。
【０００７】
更に、この貫通された排水管差込筒部２１１に、固定ネジ２０３を排水管差込筒部２１１の先端から嵌挿して螺着すれば、図中矢印で示すように、支持板２０２が縦壁１０２の外側から圧着すると共に、排水管差込筒部２１１が外側に引っ張られて、ドレン本体部２０１が縦壁１０２の内側から圧着する〔図６（ｂ）、図７（ｃ）参照。〕。
【０００８】
このように、固定ネジ２０３を螺着すれば、ドレン本体部２０１及び支持板２０２が縦壁１０２を挟着した状態で取付けられ、横引き排水ドレン装置２００を箱状樋１００の排水用取付孔１０３に取付けできる〔図７（ｃ）参照。〕。
【０００９】
最後に、この取付けた横引き排水ドレン装置２００の固定ネジ２０３の後部に、排水パイプ３００等を内嵌して連結し、前記ベランダ等に生じた水Ｗを排水パイプ３００を通じて排水するのである〔図７（ｄ）参照。〕。
【特許文献１】特開２０００−３５２１５７（図３）
【発明の開示】
【発明が解決しようとする課題】
【００１０】
しかしながら、この横引きドレンには、以下の問題があった。
【００１１】
すなわち前述のようにして箱状樋１００の排水用取付孔１０３に横引きドレン装置２００を取付けた場合、図７（ｄ）に示すように、箱状樋１００の底壁１０１と、ドレン本体部２０１との接合部分、具体的には、底壁１０１と、ドレン本体部２０１が底壁１０１に接合する延設片２２１との接合部分に、該延設片２２１の厚み分の段差ｔが生じるため、この段差ｔに前記水ｗが溜まって排水が上手くできないという問題があった。
【００１２】
又、この底壁１０１と延設片２２１との段差ｔをなくすために、予め、箱状樋１００の底壁１０１に、ドレン本体部２０１の延設片２２１が埋設するような取付凹所を形成することも考えたが、ベランダ等に開設される排水用取付孔１０３は、施工状況に応じて、作業現場にて開設される場合が多く、前記取付凹所を予め箱状樋１００の底壁１０１に形成することは困難であった。
【００１３】
本発明は、かかる課題を解決することを目的とするもので、作業現場において、箱状樋１００の底壁１０１に、ドレン本体部２０１の延設片２１１が埋設するような取付凹所を段付け加工して簡単に形成することのできる横引きドレン用段付け治具を提供する。
【課題を解決するための手段】
【００１４】
前記目的を達成するため、
請求項１に係る横引きドレン用段付け治具は、底壁と縦壁との入隅部における前記縦壁に排水用取付孔を開設し、該排水用取付孔に横引きドレンを取付けるために前記底壁に段付け加工を行う横引きドレン用段付け治具であって、前記底壁及び縦壁の外面に添接され、前記底壁に凹部を形成した略Ｌ形の治具本体と、前記治具本体の凹部に嵌合する凸部を形成した押え治具とより構成してなり、前記治具本体を前記入隅部の外面に添接すると共に、前記押え治具の凸部を前記底壁を介して前記凹部に位置付けたうえで、前記押え治具を上方から打設又は押圧することによって、前記入隅部の底壁に、前記凹部と略同形の前記横引きドレンの取付凹所を形成するようにしてなる。
【００１５】
請求項２に係る横引きドレン用段付け治具は、請求項１において、治具本体には、該治具本体の凹部を、入隅部の底壁の所定位置に位置決めすると共に、前記治具本体を入隅部に固定する押さえガイドを設けてなる。
【００１６】
請求項３に係る横引きドレン用段付け治具は、請求項１又は２の何れかにおいて、治具本体及び押え治具には、排水用取付孔を通じて両者を連結すると共に、前記治具本体の凹部に、前記押え治具の凸部を誘導可能な挿入ガイドを設けてなる。
【発明の効果】
【００１７】
本発明によれば、次のような効果がある。
【００１８】
請求項１に係る横引きドレン用段付け治具によれば、略Ｌ形の治具本体と押え治具とより構成してなる前記治具本体を、前記入隅部の外面に添接すると共に、前記押え治具の凸部を前記底壁を介して前記凹部に位置付けたうえで、前記押え治具を上方から打設又は押圧するだけで、作業現場において、箱状樋の底壁に、横引きドレンの延設片が埋設するような取付凹所を簡単に形成することができる。
【００１９】
そのため、前記排水用取付孔に横引きドレンを取付けた場合には、前記底壁と横引きドレンの延設片との接合部分に段差を生じることがなく、ベランダ等に発生した水を前記横引きドレンを通じて確実に排水することができる。
【００２０】
請求項２に係る横引きドレン用段付け治具によれば、治具本体には、該治具本体の凹部を、入隅部の底壁の所定位置に位置決めすると共に、前記治具本体を入隅部に固定する押さえガイドを設けてなるので、作業現場において、箱状樋の底壁に、ドレン本体部の延設片が埋設するような取付凹所を簡単且つ確実に形成することができる。
【００２１】
請求項３に係る横引きドレン用段付け治具によれば、治具本体及び押え治具には、排水用取付孔を通じて両者を連結すると共に、前記治具本体の凹部に、前記押え治具の凸部を誘導可能な挿入ガイドを設けてなるので、前記押え治具を上方から打設又は押圧するだけで、前記挿入ガイドに誘導されて、前記押え治具の凸部を、前記治具本体の凹部に確実に誘導することができ、作業現場において、箱状樋の底壁に、ドレン本体部の延設片が埋設するような取付凹所を更に簡単且つ確実に形成することができる。
【発明を実施するための最良の形態】
【００２２】
以下、本発明に係る横引きドレン用段付け治具Ａを図面とともに説明する。
【実施例１】
【００２３】
図１は、本発明に係る横引きドレン用段付け治具Ａの一実施例を示した分解斜視図であり、図２〜図４は、図１で示した横引きドレン用段付け治具の使用状態を示す要部断面図である。
【００２４】
本発明の横引きドレン用段付け治具Ａは、ベランダ等に設置される上方が開放された箱状樋Ｔの底壁Ｔ１と縦壁Ｔ２との入隅部Ｔ３における縦壁Ｔ２に排水用取付孔Ｈを開設し、該排水用取付孔Ｈに横引きドレンＹを取付けるために前記底壁Ｔ１に段付け加工を行うものであって、底壁Ｔ１及び縦壁Ｔ２の外面に添接され、底壁Ｔ１側に凹部１１を形成した略Ｌ形の治具本体１と、この治具本体１の凹部１１に嵌合する凸部２１を形成した押え治具２とより構成してなる。
【００２５】
治具本体１は、硬質の合成樹脂で略Ｌ形に一体形成され、この水平方向に延設された水平片１２には、横引きドレンＹの延設片Ｙ１と同形状であって、延設片Ｙ１を埋設可能な深さを有する凹部１１を形成している。
【００２６】
なお、凹部１１の形状、深さは、横引きドレンＹの延設片Ｙ１に応じて設定され、本実施例に限定されるものではない。
【００２７】
又、治具本体１の水平片１２の両側には、治具本体１の凹部１１を、前記入隅部Ｔ３の底壁Ｔ１の所定位置に位置決めすると共に、治具本体１を入隅部Ｔ３に固定する押さえガイド３を設けている。
【００２８】
具体的には、押さえガイド３は、水平片１２の両側に開設したネジ孔３１と、排水用取付孔Ｈを開設した縦壁Ｔ２の両側に配置される箱状樋Ｔの側壁面（不図示）に当接される押さえ部３２と、この押さえ部３２に設けた貫通孔３２ａを貫通して、ネジ孔３１に螺合可能なネジ部３３とより構成してなる。
【００２９】
そして、図２（ａ）で示すように、治具本体１を縦壁Ｔ２及び底壁Ｔ１の外面に添接すると共に、縦壁Ｔ２の両側に配置される箱状樋Ｔの側壁面（不図示）に押さえ部３２を当接させ、この押さえ部３２の外側からネジ部３３を貫通孔３２ａに貫通したうえで、ネジ部３３をネジ孔３１に螺合すれば、前記側壁面（不図示）を一対の押さえ部３２で挟着することができ、箱状樋Ｔに対して治具本体１を確実に固定できると共に、水平片１２に形成された凹部１１を、底壁Ｔ１の所望位置に確実に配置できる。
【００３０】
なお、押さえガイド３は、箱状樋Ｔに対して治具本体１を確実に固定できると共に、水平片１２に形成された凹部１１を、底壁Ｔ１の所望位置に確実に配置できれば良く、本実施例に限定されない。
【００３１】
一方、押え治具２は、硬質の合成樹脂を略直方体に形成した本体部２２の裏面側に、治具本体１の凹部１１に嵌合する凸部２１を下方に向けて一体形成している。
【００３２】
又、本実施例で示した治具本体１及び押え治具２には、排水用取付孔Ｈを通じて両者を連結すると共に、治具本体１の凹部１１に、押え治具２の凸部２１を誘導可能な挿入ガイド４を設けてなる。
【００３３】
具体的には、治具本体１の排水用取付孔Ｈに対応する位置には、矩形状の開口部４１を開設すると共に、この開口部４１に嵌挿される平面略Ｔ状のガイド脚４２を、押え治具２の背面壁２２の略中央に突設している。
【００３４】
更に、開口部４１の中央底部の内方には、ガイド脚４２の括れ部４３が下方に向けてスライド可能な誘導溝４４を形成すると共に、この誘導溝４４の外方には、ガイド脚４２が下方に向けてスライド可能なガイド溝４５を形成している。
【００３５】
このような挿入ガイド４を設けておけば、押え治具２に設けた括れ部４３及びガイド脚４２は、治具本体１に設けた誘導溝４４及びガイド溝４５に誘導され、押え治具２の凸部２１を、治具本体１の凹部１１に確実に誘導することができる。
【００３６】
なお、挿入ガイド４は、押え治具２の凸部２１を、治具本体１の凹部１１に確実に誘導できれば良く、本実施例に限定されない。
【００３７】
このように構成した本発明の横引きドレン用段付け治具Ａは、以下のように使用する。
【００３８】
先ず、治具本体１の開口部４１を排水用取付孔Ｈに重合すると共に、治具本体１を入隅部Ｔ３の外面に添接する〔図２（ａ）参照。〕。
【００３９】
次に、押え治具２のガイド脚４２を、治具本体１の開口部４１に挿通すると共に、押え治具２の括れ部４３を、開口部４１の誘導溝４４に嵌め込んで、押え治具２の凸部２１を底壁Ｔ１を介して治具本体１の凹部１１に位置付ける〔図２（ｂ）参照。〕。
【００４０】
次に、この押え治具２の凸部２１を底壁Ｔ１を介して治具本体１の凹部１１に位置付けた状態で、押え治具２の上方をハンマーＫ等で打設又は押圧すれば〔図３（ｃ）参照。〕、底壁Ｔ１が凸部２１に押圧されて変形し、排水用取付孔Ｈに直交する底壁Ｔ１に、治具本体１の凹部１１と略同形な横引きドレンの取付凹所５が形成される〔図３（ｄ）参照。〕。
【００４１】
そして、底壁Ｔ１の所望位置に取付凹所５を形成したうえで、横引きドレンＹの延設片Ｙ１を取付凹所５に嵌合し、以下、従来と同要領にして、排水用取付孔Ｈに横引きドレンＹを取付けて、ベランダ等に生じた水を排水するのである。
【００４２】
このように、本発明の横引きドレン用段付け治具Ａによれば、押え治具２を上方から打設又は押圧するだけで、作業現場において、箱状樋Ｔの底壁Ｔ１の所望位置に、横引きドレンＹの延設片Ｙ１が埋設するような取付凹所５を簡単に形成することができる。
【００４３】
そのため、排水用取付孔Ｈに横引きドレンＹを取付けた場合には、底壁Ｔ１と横引きドレンＹの延設片Ｙ１との接合部分に段差を生じることがなく、ベランダ等に発生した水を横引きドレンＹを通じて排水パイプＰへと確実に排水できるのである〔図４（ｅ）、図４（ｆ）参照。〕。
【図面の簡単な説明】
【００４４】
【図１】本発明に係る横引きドレン用段付け治具Ａの一実施例を示した分解斜視図である。
【図２】（ａ）、（ｂ）は、図１で示した横引きドレン用段付け治具の使用状態を示す要部断面図である。
【図３】（ｃ）、（ｄ）は、図１で示した横引きドレン用段付け治具の使用状態を示す要部断面図である。
【図４】（ｅ）、（ｆ）は、図１で示した横引きドレン用段付け治具の使用状態を示す要部断面図である。
【図５】従来の横引きドレンの取付け構造を示す分解斜視図である。
【図６】（ａ）、（ｂ）は、図５の取付け構造を示す縦断面図である。
【図７】（ｃ）、（ｄ）は、図５の取付け構造を示す縦断面図である。
【符号の説明】
【００４５】
Ａ    横引きドレン用段付け治具
Ｔ１  底壁
Ｔ２  縦壁
Ｔ３  入隅部
Ｈ    排水用取付孔
Ｙ    横引きドレン
１    治具本体
１１  凹部
２    押え治具
２１  凸部
３    押さえガイド
４    挿入ガイド
５    取付凹所
【図１】
0005156457.tif 000002
【図２】
0005156457.tif 000003
【図３】
0005156457.tif 000004
【図４】
0005156457.tif 000005
【図５】
0005156457.tif 000006
【図６】
0005156457.tif 000007
【図７】
0005156457.tif 000008